【手続補正書】
【提出日】平成21年11月20日(2009.11.20)
【手続補正１】
【補正対象書類名】明細書
【補正対象項目名】特許請求の範囲
【補正方法】変更
【補正の内容】
【特許請求の範囲】
【請求項１】  複数のラインセンサで構成されるエリアセンサの蓄積時間制御方法であって、
前記複数のラインセンサの各々に異なる蓄積時間を設定し、
該設定した蓄積時間で前記複数のラインセンサに電荷を蓄積し、
該電荷の蓄積量に応じて前記エリアセンサに対する最適蓄積時間を決定する
ことを特徴とするエリアセンサの蓄積時間制御方法。
【請求項２】  前記最適蓄積時間の決定を、前記異なる蓄積時間の時間差を前記電荷の蓄積の度に狭める複数回の蓄積処理を実行した結果に基づいて行うことを特徴とする請求項１に記載のエリアセンサの蓄積時間制御方法。
【請求項３】  前記異なる蓄積時間の時間差を、２の累乗差にすることによって前記蓄積時間を設定することを特徴とする請求項１又は２に記載のエリアセンサの蓄積時間制御方法。
【請求項４】  前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする請求項２に記載のエリアセンサの蓄積時間制御方法。
【請求項５】  前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする請求項４に記載のエリアセンサの蓄積時間制御方法。
【請求項６】  前記絞り込まれた蓄積時間は、前記蓄積された電荷が非飽和でかつ出力レベルが最も高い蓄積時間であることを特徴とする請求項４又は５に記載のエリアセンサの蓄積時間制御方法。
【請求項７】  複数のラインセンサで構成されるエリアセンサの蓄積時間制御装置であって、
前記複数のラインセンサの各々に異なる蓄積時間を設定する設定手段と、
該設定した蓄積時間で前記複数のラインセンサに電荷を蓄積する蓄積手段と、
該電荷の蓄積量に応じて前記エリアセンサに対する最適蓄積時間を決定する決定手段と
を備えたことを特徴とするエリアセンサの蓄積時間制御装置。
【請求項８】  前記最適蓄積時間の決定を、前記異なる蓄積時間の時間差を前記電荷の蓄積の度に狭める複数回の蓄積処理を実行した結果に基づいて行うことを特徴とする請求項７に記載のエリアセンサの蓄積時間制御装置。
【請求項９】  前記異なる蓄積時間の時間差を、２の累乗差にすることによって前記蓄積時間を設定することを特徴とする請求項７又は８に記載のエリアセンサの蓄積時間制御装置。
【請求項１０】  前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする請求項８に記載のエリアセンサの蓄積時間制御装置。
【請求項１１】  前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする請求項１０に記載のエリアセンサの蓄積時間制御装置。
【請求項１２】  前記絞り込まれた蓄積時間は、前記蓄積された電荷が非飽和でかつ出力レベルが最も高い蓄積時間であることを特徴とする請求項１０又は１１に記載のエリアセンサの蓄積時間制御装置。
【請求項１３】  コンピュータに、請求項７に記載の方法を実行させるためのプログラムを格納した記憶媒体。
【手続補正２】
【補正対象書類名】明細書
【補正対象項目名】０００８
【補正方法】変更
【補正の内容】
【０００８】
【課題を解決するための手段】
このような目的を達成するために、請求項１に記載の発明は、複数のラインセンサで構成されるエリアセンサの蓄積時間制御方法であって、前記複数のラインセンサの各々に異なる蓄積時間を設定し、該設定した蓄積時間で前記複数のラインセンサに電荷を蓄積し、該電荷の蓄積量に応じて前記エリアセンサに対する最適蓄積時間を決定することを特徴とする。
【手続補正３】
【補正対象書類名】明細書
【補正対象項目名】０００９
【補正方法】変更
【補正の内容】
【０００９】
また、請求項２に記載の発明は、前記最適蓄積時間の決定を、前記異なる蓄積時間の時間差を前記電荷の蓄積の度に狭める複数回の蓄積処理を実行した結果に基づいて行うことを特徴とする。
【手続補正４】
【補正対象書類名】明細書
【補正対象項目名】００１０
【補正方法】変更
【補正の内容】
【００１０】
また、請求項３に記載の発明は、前記異なる蓄積時間の時間差を、２の累乗差にすることによって前記蓄積時間を設定することを特徴とする。
【手続補正５】
【補正対象書類名】明細書
【補正対象項目名】００１１
【補正方法】変更
【補正の内容】
【００１１】
また、請求項４に記載の発明は、前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする。
【手続補正６】
【補正対象書類名】明細書
【補正対象項目名】００１２
【補正方法】変更
【補正の内容】
【００１２】
また、請求項５に記載の発明は、前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする。
【手続補正７】
【補正対象書類名】明細書
【補正対象項目名】００１３
【補正方法】変更
【補正の内容】
【００１３】
また、請求項６に記載の発明は、前記絞り込まれた蓄積時間は、前記蓄積された電荷が非飽和でかつ出力レベルが最も高い蓄積時間であることを特徴とする。
【手続補正８】
【補正対象書類名】明細書
【補正対象項目名】００１４
【補正方法】変更
【補正の内容】
【００１４】
また、請求項７に記載の発明は、複数のラインセンサで構成されるエリアセンサの蓄積時間制御装置であって、前記複数のラインセンサの各々に異なる蓄積時間を設定する設定手段と、該設定した蓄積時間で前記複数のラインセンサに電荷を蓄積する蓄積手段と、該電荷の蓄積量に応じて前記エリアセンサに対する最適蓄積時間を決定する決定手段とを備えたことを特徴とする。
【手続補正９】
【補正対象書類名】明細書
【補正対象項目名】００１５
【補正方法】変更
【補正の内容】
【００１５】
また、請求項８に記載の発明は、前記最適蓄積時間の決定を、前記異なる蓄積時間の時間差を前記電荷の蓄積の度に狭める複数回の蓄積処理を実行した結果に基づいて行うことを特徴とする。
【手続補正１０】
【補正対象書類名】明細書
【補正対象項目名】００１６
【補正方法】変更
【補正の内容】
【００１６】
また、請求項９に記載の発明は、前記異なる蓄積時間の時間差を、２の累乗差にすることによって前記蓄積時間を設定することを特徴とする。
【手続補正１１】
【補正対象書類名】明細書
【補正対象項目名】００１７
【補正方法】変更
【補正の内容】
【００１７】
また、請求項１０に記載の発明は、前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする。
【手続補正１２】
【補正対象書類名】明細書
【補正対象項目名】００１８
【補正方法】変更
【補正の内容】
【００１８】
また、請求項１１に記載の発明は、前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする。
【手続補正１３】
【補正対象書類名】明細書
【補正対象項目名】００１９
【補正方法】変更
【補正の内容】
【００１９】
また、請求項１２に記載の発明は、前記絞り込まれた蓄積時間は、前記蓄積された電荷が非飽和でかつ出力レベルが最も高い蓄積時間であることを特徴とする。
【手続補正１４】
【補正対象書類名】明細書
【補正対象項目名】００２０
【補正方法】変更
【補正の内容】
【００２０】
また、請求項１３に記載の発明は、コンピュータに、請求項７に記載の方法を実行させるためのプログラムを格納した記憶媒体である。